(57)【要約】      （修正有）【課題】デジタルカメラの外装カバーや電池収納部に関して、金型構造を簡単に保ったまま構造物の小型化、多機能化、強度アップを実現する。【解決手段】複数本の電池８を挿入可能な電池室において、各々の電池を仕切る間仕切り部材４を電池室と別部材にて構成し、前記間仕切り部材に電池蓋の回動を規制するフックを持つようにするとともに、前記間仕切り部材に外装カバーの静圧受けなどの他の機能を集約した電池室を有するデジタルカメラ。【選択図】図３
2006196254.tif 000002
【特許請求の範囲】
【請求項１】
複数本の電池を挿入可能な電池室において、各々の電池の間仕切り部材を電池室と別部材にて構成したことを特徴とする電池室。
【請求項２】
前記間仕切り部材が電池蓋の回転動作を規制するフックを持つことを特徴とした請求項１に記載の電池室。
【請求項３】
前記間仕切り部材が外装カバーが受ける外力に対する静圧受けとなっていることを特徴とした請求項１に記載の電池室。
【請求項４】
前記間仕切り部材が前記電池室の部材と異なる材料から形成されていることを特徴とした請求項１に記載の電池室。
【発明の詳細な説明】
【技術分野】
【０００１】
本発明はデジタルカメラの電池室を間仕切る部材の構造に係る電池室に関する。
【背景技術】
【０００２】
従来の電池室は、カメラ筐体を分割したいずれか一方のキャビネット半体の裏面に形成され、電池の側面に接する仕切り壁と、該仕切り壁に対抗して電池の収納部を形成する電池ホルダとからなる。ここでは該仕切り壁は電池室のキャビネットから形成されている。
【特許文献１】特開平１０−２４３２７１号公報
【発明の開示】
【発明が解決しようとする課題】
【０００３】
近年のデジタルカメラの構造において、小型化は避けて通れない問題となっている。デジタルカメラの電池室においても少ないスペースに多くの機能を盛り込むことが求められている。しかし、例えばキャビネットから同一部品内で仕切り壁を立てる場合、金型構造の抜き方向などを考慮すると電池の配置に制約が生まれ、筐体のサイズに影響を及ぼしていた。また、その仕切り壁に他の機能、例えば電池蓋のフック孔などを持たせようとしても、さらに金型構造が複雑化してしまい形状に大きな制約が付いたり、材料に制約が発生したりして実施が困難な為、結果筐体サイズの大型化につながっていた。
【０００４】
本発明は、以上の点に着目して成されたもので、金型構造を簡単に保ったまま構造物の小型化、多機能化、強度アップを実現する電池室を提供することを目的とする。
【課題を解決するための手段】
【０００５】
複数本の電池を挿入可能な電池室において、各々の電池を仕切る部材を電池室と別部材にて構成する。また、該間仕切り部材に電池蓋の回転動作を防止する係止部位を設ける。また、該間仕切り部材は粘りのある材料にて形成される。さらに分割された外装カバーと間仕切り部材との間に隙間を設けた状態でセットに組み付け、その隙間にもう一方の外装カバーを差し込むことでカバーの静圧受けの機能を持たせる。
【０００６】
すなわち、本発明の技術内容は以下の構成を備えることにより前記課題を解決できた。
【０００７】
（１）複数本の電池を挿入可能な電池室において、各々の電池の間仕切り部材を電池室と別部材にて構成したことを特徴とする電池室。
【発明の効果】
【０００８】
複数本の電池を挿入可能な電池室において、各々の電池を仕切る部材を電池室と別部材にて構成することによって、どのような電池の配置に対しても、電池室を形成する部材の一つである外装カバーの金型構造の簡略化ができるようになる。
【０００９】
また、金型構造の簡略化によって、間仕切り部材に対して比較的自由度の高い状態で電池蓋の回転防止の係止部位などに挙げられる、他の機能を持たせることが可能になる。
【００１０】
また、間仕切り部材が別部材で構成されていることにより、電池室のほかの部分とは別の材料を用いることが可能になり、その部位のみに強度の強い材料、または逆に弱い材料を用いることができることで、電池室全体の品質の改善ができる。
【発明を実施するための最良の形態】
【００１１】
本発明に係る電池室の間仕切り構造は、通常携帯型の電子・電気機器に用いられる。
【００１２】
以下本発明を実施するための最良の形態を、実施例により詳しく説明する。
【実施例】
【００１３】
実施の形態である携帯型のデジタルカメラ装置１（以下、図１参照）（請求項の電池室に相当する）には、その筐体１の正面から見て左側底面部に形成された電池収納部の蓋である電池蓋の開閉装置２が開閉自在に取り付けられている。
【００１４】
この電池蓋２を開蓋した状態を図２に示す。電池蓋を開蓋した状態では例えば図１乃至図５に示すように電池収納部は筐体１を前後に分割して構成される外装カバー５、６の一つ、筐体正面側の外装カバー５の内壁と筐体１の内部構造体７を組み合わせることにより構成されている。電池収納部には電池８を挿脱する電池収納開口部３が設けられている。外装カバー５の内壁と内部構造体７は電池８の外形形状と略同一形状になっており、電池８は筐体１の正面から見て略前後方向に配置され、電池収納部に向かって図３に示すＡ方向に挿脱される。
【００１５】
電池の電極は電池８の円筒形の上下両端に形成されており、それに対応して電池収納部の奥部に図示しない電池接片が配置され、電池蓋２にも電池接片が取り付けられている。
【００１６】
電源の安定の為には電池８は電池収納部内にガタなく収まっているのが理想であるため、本構成では外装カバー５の内壁に電池８の形状に沿った形状を持つ、電池の間仕切り部材４が取り付けられている。この部材を取り付けることにより、電池８は筐体１内で前後方向に動いて前記電池接片と接触すべき正規の位置からずれるといったことがなくなり、デジタルカメラ装置の電源が安定して確保されるようになり、電池寿命・撮影可能枚数の増加につながっている。
【００１７】
この時、例えば電池が筐体１の正面から見て左右方向に並んで配置されている場合は外装カバー自体に電池収納部の間仕切り形状を持たせることに何の問題もないが、上記の電池の配置を行う場合、筐体のサイズが横方向に大きくならざるを得ない。筐体サイズの横方向の広がりを抑えるために、本構成のように電池の配置を筐体正面から見て前後方向にした場合、外装カバー５から電池収納部の間仕切り構造を形成させようとすると、金型の割方向に対して内部で大きくアンダーカットになってしまう部分が発生し、金型の作製が不可能になってしまう。
【００１８】
本構成によると外装カバー５と、間仕切り部材４とを分割したことによって外装カバー５内部のアンダーカット部は間仕切り部材４を取り付けるために必要な小さな突起のみとなり、金型による部品作製が可能になる。また、間仕切り部材４は筐体正面から見て左右方向に金型を分割するのみという、単純な金型構造にて作製可能であり、両方の部材に対して金型構造の簡略化を図ることができ、比較的安価に部品を構成することが可能になり、また筐体サイズの横方向の広がりを抑えることができる。
【００１９】
また本構成のデジタルカメラ装置１において、電池収納部の電池を覆う部分の表側は筐体１の外観形状となっている。このため筐体１のサイズを最小に抑えながら電池蓋の回転動作を係止する形状を構成可能な部位はごく限られている。外装カバー５に係止部位を構成しようとすると、係止部位は強度が必要なことから、その部分の材料の肉厚を上げる必要があり、筐体の大型化につながると共に外観の意匠を害してしまう。
【００２０】
そこで電池収納部内にて必要な強度を確保できるだけの材料の肉厚がある間仕切り部材４に電池蓋２の係止爪２ａに対応する部位に係止爪４ａを構成する。電池蓋２の係止爪２ａは電池蓋２の回転動作の前に筐体１の正面から見て左方向にスライド動作を行う為、対応する係止爪４ａも筐体１の正面から見て左方向に開口している必要がある。間仕切り部材４は筐体１の正面から見て左右方向で金型を分割し作製されるため、間仕切り部材４の金型構造には何の影響も及ぼさないで爪構造４ａを追加することができる。
【００２１】
また、本構成の筐体１の外装は前後に分割された外装カバー５，６によって構成されている。筐体１正面から見て左側の前後カバーの合わせ目付近の内部は電池収納部となっており、電池８を収納していない際は大きな空洞となっている。また、前後のカバー５，６の合わせ目付近には筐体１を紐状のストラップにて吊り下げる際にストラップを通すリング９が配置されており、リング９周辺にはあらゆる方向からの外力が加えられる構造となっている。
【００２２】
図５に示すように、筐体後側の外装カバー６の先端は前側の外装カバー５の内側に入り込むような構造になっており、図５に示すＤ方向からの外力が加えられると、筐体内側に向かって外観面が凹むようになってしまい、外観意匠を害してしまう。
【００２３】
そこで本構成では、前後カバー５，６の合わせ目付近に、前記間仕切り部材４が前側カバー５に隙間を空けた状態で取り付けられる。ここで出来た隙間に後側カバー６の先端が入り込むように組み立てられる。これによって図５に示すＤ方向から加えられる外力に対して、間仕切り部材４が後側カバー６の先端を支える形となり、外力が加えられた際にも外観面が凹むことがなくなり、流麗な外観を保つことが出来るようになる。
【００２４】
また、例えば、外装カバーより電池収納部の間仕切り構造を形成した場合は、外装カバー全体を一つの材料から構成する必要がある。しかしながら外装カバーには外観部など他にも多くの機能を有しており、その材料が一つ一つの機能に対して最適であるとは限らない。外装カバー５自体は外部からの力に対して変形を抑える為に、強度の強い材料の使用が求められている。しかしながら一般的に強度の強い材料は硬い半面、衝撃に対して弱く、前述の間仕切り部材４に形成されている係止爪４ａのような構造には不向きな点がある。
【００２５】
そこで本構成のように外装カバー５と電池収納部の間仕切り部材４を別の部材により構成することによって、硬さの必要な外装カバー５には硬い材料、粘りの必要な係止爪４ａのような部位には粘りのある材料と、機能に合わせた最適の材料を割り振ることが可能になる。
【図面の簡単な説明】
【００２６】
【図１】本発明の実施形であるデジタルカメラ装置の全体斜視図である。
【図２】電池収納部の電池蓋開蓋状態を示す要部斜視図である。
【図３】本発明の電池収納部の分解斜視図である。
【図４】電池蓋の係止部の要部斜視図である。
【図５】外装カバーにかかる外力を受ける構造を示す要部断面図である。
【符号の説明】
【００２７】
１  デジタルカメラ装置（筐体）
２  電池蓋装置
３  電池収納開口部
４  電池室間仕切り部材
５  前側外装カバー
６  後側外装カバー
７  電池室の内部構造体
８  電池
【図１】
2006196254.tif 000003
【図２】
2006196254.tif 000004
【図３】
2006196254.tif 000005
【図４】
2006196254.tif 000006
【図５】
2006196254.tif 000007